(57)【要約】      （修正有）【課題】支柱を支える手指が怪我をすることなく、梯子の表裏をなくし、梯子の立て、伏せ状態にかかわらず、伸縮操作が出来、また、短縮運搬時、片支柱側吊り下げ横向き携帯を可能としてさらにコンパクトで安全な運搬態勢を可能とする伸縮入れ子梯子を提供する。【解決手段】踏み段１２〜１５の下側の操作部で、片手で操作可能としたので、手指を怪我することなく、また、その操作は梯子の両側いずれの側からも可能であり、特定側への反り癖がつくこともなくなり、伏せた状態の梯子を片方の手で踏み段１２〜１５を順次手繰り寄せれば、穏やかで安全な短縮操作が可能となり、着脱自在のベルト２により簡便に梯子の不如意の徒長不可となし、ベルト２を掴み上げればコンパクトな運搬態勢が可能となる。【選択図】図１
2014185501.tif 000002
【特許請求の範囲】
【請求項１】
左右の支柱が踏み段ごとの入れ子式とした伸縮入れ子梯子において、双方の支柱にそれぞれ咬み込む踏み段固定ストッパーからの延伸の端末部を踏み段の下側に集合させて操作部とし、その操作部を片手で操作可能にしたことを特徴とする伸縮入れ子梯子。
【請求項２】
操作部の端末部を突起状とした請求項１の伸縮入れ子梯子。
【請求項３】
操作部の端末部が回転体の回転円周部に摺動可能に取り付いた請求項１の伸縮入れ子梯子。
【請求項４】
短縮した同一支柱の外側の上端部と下端部にその両端部間隔を徒長不可に連結する着脱自在のベルトが取り付いたことを特徴とする請求項１、または請求項２、または請求項３の伸縮入れ子梯子。
【発明の詳細な説明】
【技術分野】
【０００１】  本考案は、左右の支柱が踏み段ごとの入れ子式とした伸縮入れ子梯子において、その双方の支柱にそれぞれ咬み込む踏み段固定ストッパーからの延伸の端末部が踏み段の下側に集合して、片手で梯子の短縮操作を可能にし、短縮したその支柱に、着脱自在のベルト素材が取り付いて徒長不可とした伸縮入れ子梯子に関する。
【背景技術】
【０００２】    支柱が踏み段ごとの入れ子式とした従来の伸縮入れ子梯子において、梯子を立てて支柱の伸縮操作すなわち梯子の伸縮操作のうち、短縮操作用の操作スライダーは踏み段ごとに踏み段側面の左右双方の支柱寄りにあり、後記おもて側で、両手で左右の支柱を支えながら格段ごとに左右共にその操作スライダーを各親指で同時にスライドさせることにより、それぞれ支柱に咬み込んでいる双方の踏み段固定ストッパーが外れ、踏み段を重力落下させて、支柱を短縮していたが、このため、落下する踏み段支柱部位とその下の踏み段支柱部位間に手指を挟まれて怪我をすることがあった。また、操作スライダーが各踏み段の同じ側に統一して設けられている側を梯子のおもて側、設けられていない側を裏側とすれば、短縮操作時には、つねにおもて側を、操作者に向けねばならない煩雑さがあり、梯子の使用時には、その操作の延長的に、おもて側のみを使用することになりやすく、経年、使用加重により梯子が、おもて側への反り癖がつき金属疲労をおこす危険があった。
さらに、前記重力落下による短縮の仕組みのため、操作の度に梯子を立てねばならず、作業の効率性を低下させた。【０００３】  また短縮して運搬するには短縮立位の倒れ掛ろうとする状態の梯子を支えながら付属の結束ベルトで踏み段中央部において踏み段全体を上下方向周囲結束して徒長不可とするため、不安定で危険であり、加えて、縦運び運搬するには短縮状態とは言え、その高さゆえ、現場の床の起伏に煩わされることとなり、あるいは横抱きにしても、掴み所の不十分な態勢で行わざるを得なかった。【０００４】
【発明の開示】
【発明が解決しようとする課題】
【０００５】本発明は、従来の実態が有していた問題を解決しようとするものであり、支柱を支える手指が怪我をすることなく、梯子の表裏をなくし、梯子の立て、伏せ状態にかかわらず、伸縮操作が出来、また、短縮運搬時、片支柱側吊り下げ横向き携帯を可能としてさらにコンパクトで安全な運搬態勢を可能とするものである。【０００６】
【課題を解決するための手段】
【０００７】  本発明は、その実現のため、左右の支柱が踏み段ごとの入れ子式とした伸縮入れ子梯子において、双方の支柱にそれぞれ咬み込む踏み段固定ストッパーからの延伸の端末部を踏み段の下側に集合させて操作部とし、その操作部を片手で操作可能にするため、左右支柱からの両端末部を突起状として片手の指で挟み寄せられる間隔に並ばせて片手の指で挟み寄せれば、あるいは軸止されるか定位置回転可能に包囲された無軸の回転体の回転円周部に両端末部が摺動可能に取り付いておりその回転体を片手で回転させれば、固定ストッパーが端末部側に引き寄せられる構成とする。【０００８】  双方の支柱にそれぞれ咬み込む踏み段固定ストッパーからの延伸の端末部は同段の踏み段の下側に集合するほか、延伸が任意分岐して最下段の踏み段、あるいは中途の踏み段に他の段の延伸と集合統合して、前記操作部とするものである。【０００９】  踏み段の重力落下時、操作部への衝突を回避出来るように踏み段の下側の両側に操作部よりも下向きに背の高い防護体を設けて防護体下端と下の踏み段の上側を衝突させる。すなわち、防護体は手指を防護するのではなく、操作部を防護するために設ける。【００１０】  また、同一支柱の外側の上端部と下端部と、それに嵌合対応する短縮した前記上下の両端部間隔よりもやや長い一本のベルトの両端とが着脱自在に嵌合して両端部を短縮連結する
嵌合対応例としては、前記両端部にリングを設け、ベルトの両端にはフックを取り付け、リングにフックが着脱自在に嵌合する、あるいは、前記リングに変えてパイプと、フックに変えてそのパイプに挿入嵌合可能なやや小径のパイプの外周一部がスプリング効果による高低自在の盛り上がり部として、前記パイプに挿入嵌合時、盛り上がり部が貫通出口で、あるいはその手前のパイプ内部で膨張し、盛り上がり部を収縮操作しない限り、不如意離脱を不可とするものである
前記、フックはＪ形状や、カラビナ形状の開閉可能の環フックを随意選択する。
前述と逆の、ベルトの両端にリング、支柱の外側の上端部と下端部の両端部にフックの取り付けでもよい。【０００１１】  前記課題解決手段による作用は次のとおりである。【００１２】  前記踏み段の下側に双方の踏み段固定ストッパーからの延伸の両端末部を突起状に片手の指で挟み寄せられる間隔に並ばせた操作部で、片手の指で両端末部を挟み寄せると、延伸元部である前記仕組みの双方の踏み段固定ストッパーが端末部側に引き寄せられ支柱への咬み込みから抜き外れる
あるいは、操作部の両端末部が前記回転体の回転円周部に摺動可能に取り付いており、その回転体を片手で、回転させれば固定ストッパーが端末部側に引き寄せられるので、支柱への咬み込みから抜き外れ、そして前記防護体を踏み段の下側の両側に設けたので、踏み段の重力落下時、防護体下端と下の踏み段の上面が衝突することにより、操作部への衝突を回避する。
また、延伸を分岐して最下段の踏み段、あるいは中途任意の踏み段に他の段の延伸と統合して、統合端末部を突起状としあるいは回転体に取り付けることにより、操作段より上段の踏み段固定ストッパーが一括して端末部側に引き寄せられ、柱への咬み込みから一挙に抜き外れるが、この場合、操作段より下段においては、同段の延伸は物理的に逆に緩むので踏み段固定ストッパーが端末部側に引き寄せられることなく柱への咬み込みから抜き外れない。これはたとえば、Ｙの字状の三者綱引きにおいて、右上側が引き込むと、左上側の綱が緩むが如し。【００１３】  同一支柱の外側の上端部と下端部と、それぞれに嵌合対応する短縮した前記両端部間隔よりもやや長いベルトの両端とが着脱自在に嵌合して両端部を短縮連結すれば、梯子の起伏にかかわらず、安定、安全に梯子を簡便に不如意の徒長不可となし、このベルトを掴み上げれば、その支柱を上にして横向きにも吊り下げられる【００１４】
【発明の効果】
【００１５】  片手で梯子を支え、もう片方の手で踏み段の下側の操作部を操作可能としたので、踏み段は操作する踏み段の上に落下するため、踏み段の下側の手指を怪我することなく、また、その操作は梯子の両側いずれの側からも可能であり、前記おもて側、裏側という区別はなくなり両側を偏ることなく加重使用して、特定側への反り癖や金属疲労がなくなる。
さらに、梯子を伏せた状態として、片手で操作しながら、もう片方の手で踏み段を順次手繰り寄せれば、重力落下によらず、穏やかで安全な短縮操作が可能となる。
また、延伸を分岐して最下段の踏み段の下側、あるいは中途任意の踏み段の下側にも他の段の延伸部と統合して、操作部とすることにより、操作段より上段の踏み段固定ストッパーが端末部側に引き寄せられ一括して柱の咬み込みから抜き外れるので、踏み段ごとの短縮操作が不要となる。【００１６】また、前記ベルトにより、梯子の起伏にかかわらず梯子を簡便に不如意の徒長不可となし、このベルトを掴み上げれば、短縮した梯子はベルトを嵌合した支柱を上にして横向き携帯も可能として安全でさらにコンパクトな運搬態勢を可能とするものである。そして、いずれかのベルト嵌合箇所を外せば梯子の伸縮が自在となる。【００１７】
【発明を実施するための最良の形態】
【００１８】    本発明の実施の一例の形態を図１に基づいて説明する。【００１９】  左右の支柱が踏み段１１，１２，１３，１４，１５ごとの入れ子式とした伸縮入れ子梯子１において、踏み段１１，１２，１３間は相互短縮態勢にあり、踏み段１３，１４，１５間は相互伸張態勢にある。
踏み段１４の踏み段固定ストッパー４１が押し込みスプリング５３により支柱１３１の穴１３１０、支柱１４１の穴１４１０を連通し咬み込んで踏み段１３と踏み段１４を固定しており、踏み段固定ストッパー４１からの延伸の端末部を片手で操作可能にするため、両端末部がダイヤル型回転体４の回転円周部に摺動可能に取り付いており、その回転体４を片手で、回転させれば固定ストッパー４１が端末部側に引き寄せられて支柱１４１，１３１への咬み込みから抜き外れ、また踏み段１５の下側には両端末部を突起状５１，５２として片手の指で挟み寄せられる間隔に並ばせており、そうして、落下する各踏み段の下側の両側に設けた操作部よりも下向きに背の高い防護体３により、操作部たる回転体４、突起状５１，５２は衝突を回避出来、また、その操作は梯子の両側いずれの側からも可能であるため両側を偏ることなく使用することとなって特定側への反り癖や金属疲労をなくしており、同一支柱の外側の上端部と下端部にリング１０１，１０２を設け、それぞれに嵌合対応する短縮した両端部間隔よりもやや長いベルト２の両端にはＪ形状フック２１とカラビナ形状フック２２を取り付け、伸縮入れ子梯子１の短縮時、リングとフックを着脱自在に嵌合して両端部を連結するものである。【００１７】
【図面の簡単な説明】
【００１８】
【図１】本発明の実施形態を示す概略図
【符号の説明】    １      本発明の入れ子梯子
２      ベルト
３      防護体
４      ダイヤル型回転体
１１    入れ子踏み段
１２    入れ子踏み段
１３    入れ子踏み段
１４    入れ子踏み段
１５    入れ子踏み段
２１    Ｊ形状フック
２２    カラビナ形状フック
４１    踏み段固定ストッパー
５１    突起状端末部
５２    突起状端末部
５３    押し込みスプリング
１０１  リング
１０２  リング
１３１  入れ子踏み段１３の支柱部
１４１  入れ子踏み段１４の支柱部
【図１】
2014185501.tif 000003
【図２】
2014185501.tif 000004
【図３】
2014185501.tif 000005
【手続補正書】
【提出日】平成25年5月31日(2013.5.31)
【手続補正１】
【補正対象書類名】明細書
【補正対象項目名】全文
【補正方法】変更
【補正の内容】
【発明の詳細な説明】
【技術分野】
【０００１】  本考案は、左右の支柱が踏み段ごとの入れ子式とした伸縮入れ子梯子において、その双方の支柱にそれぞれ咬み込む踏み段固定ストッパーからの延伸の端末部が踏み段の下側に集合して、片手で梯子の短縮操作を可能にし、短縮したその支柱に、着脱自在のベルト素材が取り付いて徒長不可とした伸縮入れ子梯子に関する。
【背景技術】
【０００２】    支柱が踏み段ごとの入れ子式とした従来の伸縮入れ子梯子において、梯子を立てて支柱の伸縮操作すなわち梯子の伸縮操作のうち、短縮操作用の操作スライダーは踏み段ごとに踏み段側面の左右双方の支柱寄りにあり、後記おもて側で、両手で左右の支柱を支えながら格段ごとに左右共にその操作スライダーを各親指で同時にスライドさせることにより、それぞれ支柱に咬み込んでいる双方の踏み段固定ストッパーが外れ、踏み段を重力落下させて、支柱を短縮していたが、このため、落下する踏み段支柱部位とその下の踏み段支柱部位間に手指を挟まれて怪我をすることがあった。また、操作スライダーが各踏み段の同じ側に統一して設けられている側を梯子のおもて側、設けられていない側を裏側とすれば、短縮操作時には、つねにおもて側を、操作者に向けねばならない煩雑さがあり、梯子の使用時には、その操作の延長的に、おもて側のみを使用することになりやすく、経年、使用加重により梯子が、おもて側への反り癖がつき金属疲労をおこす危険があった。
さらに、前記重力落下による短縮の仕組みのため、操作の度に梯子を立てねばならず、作業の効率性を低下させた。【０００３】    また短縮して運搬するには短縮立位の倒れ掛ろうとする状態の梯子を支えながら付属の結束ベルトで踏み段中央部において踏み段全体を上下方向周囲結束して徒長不可とするため、不安定で危険であり、加えて、縦運び運搬するには短縮状態とは言え、その高さゆえ、現場の床の起伏に煩わされることとなり、あるいは横抱きにしても、掴み所の不十分な態勢で行わざるを得なかった。
【発明の開示】
【発明が解決しようとする課題】
【０００４】本発明は、従来の実態が有していた問題を解決しようとするものであり、支柱を支える手指が怪我をすることなく、梯子の表裏をなくし、梯子の立て、伏せ状態にかかわらず、伸縮操作が出来、また、短縮運搬時、片支柱側吊り下げ横向き携帯を可能としてさらにコンパクトで安全な運搬態勢を可能とするものである。
【課題を解決するための手段】
【０００５】  本発明は、その実現のため、左右の支柱が踏み段ごとの入れ子式とした伸縮入れ子梯子において、双方の支柱にそれぞれ咬み込む踏み段固定ストッパーからの延伸の端末部を踏み段の下側に集合させて操作部とし、その操作部を片手で操作可能にするため、左右支柱からの両端末部を突起状として片手の指で挟み寄せられる間隔に並ばせて片手の指で挟み寄せれば、あるいは軸止されるか定位置回転可能に包囲された無軸の回転体の回転円周部に両端末部が摺動可能に取り付いておりその回転体を片手で回転させれば、固定ストッパーが端末部側に引き寄せられる構成とする。【０００６】  双方の支柱にそれぞれ咬み込む踏み段固定ストッパーからの延伸の端末部は同段の踏み段の下側に集合するほか、延伸が任意分岐して最下段の踏み段、あるいは中途の踏み段に他の段の延伸と集合統合して、前記操作部とするものである。【０００７】  踏み段の重力落下時、操作部への衝突を回避出来るように踏み段の下側の両側に操作部よりも下向きに背の高い防護体を設けて防護体下端と下の踏み段の上側を衝突させる。すなわち、防護体は手指を防護するのではなく、操作部を防護するために設ける。【０００８】  また、同一支柱の外側の上端部と下端部と、それに嵌合対応する短縮した前記上下の両端部間隔よりもやや長い一本のベルトの両端とが着脱自在に嵌合して両端部を短縮連結する【０００９】  嵌合対応例としては、前記両端部にリングを設け、ベルトの両端にはフックを取り付け、リングにフックが着脱自在に嵌合する、あるいは、前記リングに変えてパイプと、フックに変えてそのパイプに挿入嵌合可能なやや小径のパイプの外周一部がスプリング効果による高低自在の盛り上がり部として、前記パイプに挿入嵌合時、盛り上がり部が貫通出口で、あるいはその手前のパイプ内部で膨張し、盛り上がり部を収縮操作しない限り、不如意離脱を不可とするものである【００１０】  前記、フックはＪ形状や、カラビナ形状の開閉可能の環フックを随意選択する。
前述と逆の、ベルトの両端にリング、支柱の外側の上端部と下端部の両端部にフックの取り付けでもよい。
前記課題解決手段による作用は次のとおりである。【００１１】  前記踏み段の下側に双方の踏み段固定ストッパーからの延伸の両端末部を突起状に片手の指で挟み寄せられる間隔に並ばせた操作部で、片手の指で両端末部を挟み寄せると、延伸元部である前記仕組みの双方の踏み段固定ストッパーが端末部側に引き寄せられ支柱への咬み込みから抜き外れる【００１２】  あるいは、操作部の両端末部が前記回転体の回転円周部に摺動可能に取り付いており、その回転体を片手で、回転させれば固定ストッパーが端末部側に引き寄せられるので、支柱への咬み込みから抜き外れ、そして前記防護体を踏み段の下側の両側に設けたので、踏み段の重力落下時、防護体下端と下の踏み段の上面が衝突することにより、操作部への衝突を回避する。
また、延伸を分岐して最下段の踏み段、あるいは中途任意の踏み段に他の段の延伸と統合して、統合端末部を突起状としあるいは回転体に取り付けることにより、操作段より上段の踏み段固定ストッパーが一括して端末部側に引き寄せられ、柱への咬み込みから一挙に抜き外れるが、この場合、操作段より下段においては、同段の延伸は物理的に逆に緩むので踏み段固定ストッパーが端末部側に引き寄せられることなく柱への咬み込みから抜き外れない。これはたとえば、Ｙの字状の三者綱引きにおいて、右上側が引き込むと、左上側の綱が緩むが如し。【００１３】  同一支柱の外側の上端部と下端部と、それぞれに嵌合対応する短縮した前記両端部間隔よりもやや長いベルトの両端とが着脱自在に嵌合して両端部を短縮連結すれば、梯子の起伏にかかわらず、安定、安全に梯子を簡便に不如意の徒長不可となし、このベルトを掴み上げれば、その支柱を上にして横向きにも吊り下げられる
【発明の効果】
【００１４】  片手で梯子を支え、もう片方の手で踏み段の下側の操作部を操作可能としたので、踏み段は操作する踏み段の上に落下するため、踏み段の下側の手指を怪我することなく、また、その操作は梯子の両側いずれの側からも可能であり、前記おもて側、裏側という区別はなくなり両側を偏ることなく加重使用して、特定側への反り癖や金属疲労がなくなる。【００１５】  さらに、梯子を伏せた状態として、片手で操作しながら、もう片方の手で踏み段を順次手繰り寄せれば、重力落下によらず、穏やかで安全な短縮操作が可能となる。
また、延伸を分岐して最下段の踏み段の下側、あるいは中途任意の踏み段の下側にも他の段の延伸部と統合して、操作部とすることにより、操作段より上段の踏み段固定ストッパーが端末部側に引き寄せられ一括して柱の咬み込みから抜き外れるので、踏み段ごとの短縮操作が不要となる。【００１６】また、前記ベルトにより、梯子の起伏にかかわらず梯子を簡便に不如意の徒長不可となし、このベルトを掴み上げれば、短縮した梯子はベルトを嵌合した支柱を上にして横向き携帯も可能として安全でさらにコンパクトな運搬態勢を可能とするものである。【００１７】そして、いずれかのベルト嵌合箇所を外せば梯子の伸縮が自在となる。
【発明を実施するための最良の形態】
【００１８】    本発明の実施の一例の形態を図１に基づいて説明する。
左右の支柱が踏み段１１，１２，１３，１４，１５ごとの入れ子式とした伸縮入れ子梯子１において、踏み段１１，１２，１３間は相互短縮態勢にあり、踏み段１３，１４，１５間は相互伸張態勢にある。【００１９】  踏み段１４の踏み段固定ストッパー４１が押し込みスプリング５３により支柱１３１の穴１３１０、支柱１４１の穴１４１０を連通し咬み込んで踏み段１３と踏み段１４を固定しており、踏み段固定ストッパー４１からの延伸の端末部を片手で操作可能にするため、両端末部がダイヤル型回転体４の回転円周部に摺動可能に取り付いており、その回転体４を片手で、回転させれば固定ストッパー４１が端末部側に引き寄せられて支柱１４１，１３１への咬み込みから抜き外れ、また踏み段１５の下側には両端末部を突起状５１，５２として片手の指で挟み寄せられる間隔に並ばせており、そうして、落下する各踏み段の下側の両側に設けた操作部よりも下向きに背の高い防護体３により、操作部たる回転体４、突起状５１，５２は衝突を回避出来、また、その操作は梯子の両側いずれの側からも可能であるため両側を偏ることなく使用することとなって特定側への反り癖や金属疲労をなくしており、同一支柱の外側の上端部と下端部にリング１０１，１０２を設け、それぞれに嵌合対応する短縮した両端部間隔よりもやや長いベルト２の両端にはＪ形状フック２１とカラビナ形状フック２２を取り付け、伸縮入れ子梯子１の短縮時、リングとフックを着脱自在に嵌合して両端部を連結するものである。
【図面の簡単な説明】
【００２０】
【図１】本発明の実施形態を示す概略図
【図２】ダイヤル型回転体の概略断面図
【図３】突起状端末部の概略断面図
【符号の説明】
【００２１】    １    本発明の入れ子梯子
２    ベルト
３    防護体
４    ダイヤル型回転体
１１  入れ子踏み段
１２  入れ子踏み段
１３  入れ子踏み段
１４  入れ子踏み段
１５  入れ子踏み段
２１  Ｊ形状フック
２２  カラビナ形状フック
４１  踏み段固定ストッパー
５１  突起状端末部
５２  突起状端末部
５３  押し込みスプリング
１０１  リング
１０２  リング
１３１  入れ子踏み段１３の支柱部
１４１  入れ子踏み段１４の支柱部
１３１０  入れ子踏み段１３の支柱部の穴
１４１０  入れ子踏み段１４の支柱部の穴